(57)【要約】【課題】遮音板の四方端部に上下横枠材と両側縦枠材を装着してなる遮音パネルであって、この遮音パネルの組立作業が簡単且つ確実に行えると共に、自動車等の衝突による衝撃力を弾力的に吸収することができるようにする。【解決手段】上下横枠材１、２と両側縦枠材３、３との内面に設けている差込溝６、６Ａ、６Ｂに遮音板４の端部をボルトを使用することなく挟持状態で固定していると共に遮音板４の上端部を直角に屈折させて係止端部４ａに形成し、この係止端部４ａを上側横枠材１における上記差込溝６の奥から直角に屈折している係合溝部５に係止させて、遮音板４が衝撃を受けた時に遮音板４の下端部及び両側端部を差込溝６Ａ、６Ｂから抜け出る方向に移動させて衝撃エネルギーを吸収すると共に係止端部４ａによって遮音板４が枠材から外れるのを防止している。【選択図】    図２
2005023695.tif 000002
【特許請求の範囲】
【請求項１】
上下横枠材と両側縦枠材とによって形成された矩形状枠に遮音板を張設してなる遮音パネルにおいて、上記上下横枠材と両側縦枠材は、遮音板に向かって突設している前後突条枠部とこれらの前後突条枠部の前後対向面間で形成された遮音板の端部差込溝とを備えていると共に、少なくとも上記上側横枠材に設けている遮音板の端部差込溝の奥側にこの差込溝から後方に屈折した係合溝部を設けてあり、さらに、四方の端部を上記上下横枠材と両側縦枠材との差込溝に挿入している遮音板の上端部に上記係合溝部に係止する係止端部を屈折形成していることを特徴とする遮音パネル。
【請求項２】
上下横枠材の前後突条枠部は、上側横枠材の上枠板部の下面前後部と下側横枠材の下枠板部の上面前後部とにそれぞれ形成されている一方、両側縦枠材は、縦枠材部の内側面に前後突条枠部をネジ止めによって固着し、これらの前後突条枠部の前後対向面間で遮音板の端部差込溝を形成していることを特徴とする請求項１に記載の遮音パネル。
【請求項３】
上側横枠材の前側突条枠部は、該上側横枠材における上枠板部の前端部下面に下方に向かって突設している一方、後側突条枠部は、上枠板部の下面中央部から下方に突設している突出板片部の下端から上記前側突条枠部の後面上端部に向かって直角に屈折形成している水平支持板部と、この水平支持板部の前端から上記前側突条枠部の後面に平行に下方に向かって屈折形成している垂直板部とからなり、上記水平支持板部と上枠板部の下面間で遮音板の上記上端係止端部の係合溝部を形成していると共に上記垂直板部と前側突条枠部の後面間で遮音板の端部差込溝を形成していることを特徴とする請求項１又は請求項２に記載の遮音パネル。
【請求項４】
上側横枠材における上枠板部の下面中央部に突設している突出板片部の下端と上枠板部の後面下端間を下面水平板部により一体に連設している一方、後側突条枠部を形成している水平支持板部と垂直板部とを上側横枠材と別体に形成して水平支持板部の後端に後方に向かって水平取付板部を延設し、この水平取付板部を上記下面水平板部にネジ止めすることにより、水平支持板部と上面枠材部の下面間で遮音板の上端係止端部の係合溝部を形成していると共に上記垂直板部と前側突条枠部の後面間で遮音板の端部差込溝を形成していること特徴とする請求項１又は請求項２に記載の遮音パネル。
【発明の詳細な説明】
【０００１】
【発明の属する技術分野】
本発明は、高速道路等の路肩や側壁に設置して、走行する自動車等の騒音を遮断するための遮音パネルに関するものである。
【０００２】
【従来の技術】
従来から、高速道路を走行する自動車からの騒音が道路周辺の住宅等に伝わるのを防止するために、さらには道路側からの投物が路肩から落下するのを防止するために、道路の路肩部に道路に沿って遮音パネルを張りめぐらすことが行われている。このような遮音パネルとしては、上下横枠材と両側縦枠材とによって矩形状枠を形成し、この矩形状枠に遮音板を嵌め込んで、該遮音板の上端部を上側横枠材に複数個のボルトにより固着していると共に該遮音板の両側端部と下端部とを押し縁材によって両側縦枠材と下側横枠材とにおける受け部に押しつけてこれらの押し縁材と受け部とにより遮音板の両側端部と下端部とを挟着した状態にして該押し縁部をボルトにより両側縦枠材と下側横枠材とに固定した構造のものが知られている（例えば、特許文献１参照）。
【０００３】
【特許文献１】
特開平９−１５１４１８号公報（第３頁、第３図、第４図）。
【０００４】
【発明が解決しようとする課題】
しかしながら、このような遮音パネルの構造によれば、自動車が衝突した時に矩形状枠から遮音板が脱落するのを防止するには、遮音板の上端部を上側横枠材に複数個のボルトによって固着することにより行っているために、遮音板の上端部と上側横枠材とに予めボルト挿通孔とボルト取付孔を同じ間隔毎にそれぞれ設けておかなければならず、その加工に手間を要すると共に、遮音板の取付時には該遮音板に設けているボルト挿通孔を上側横枠材に設けているボルト取付孔に合致させたのちボルト・ナットによる固定作業を行わなければならず、遮音パネルの組立てが煩雑化して施工費も高くなる。
【０００５】
さらに、遮音板が自動車の衝突等によって大きな衝撃力を受けると、上記ボルト・ナットによる固定部分に応力が集中的に作用してボルト・ナットが飛散したり遮音板が破損し、二次的な事故が発生する虞れがある。
【０００６】
本発明は上記のような問題点に鑑みてなされたもので、その目的とするところは、遮音板を上下横枠材や両側縦枠材にボルトによって直接、固定することなく、従って、遮音板にボルト挿通孔などを設ける必要はなく、上下横枠材と両側縦枠材とによって形成される矩形状枠に該遮音板を簡単且つ確実に固定し得るようにして遮音パネルの組立作業の簡素化を図ることができると共に自動車等が衝突した際には優れた衝撃緩和作用を発揮することができる遮音パネルを提供するにある。
【０００７】
【課題を解決するための手段】
上記目的を達成するために、本発明の遮音パネルは、請求項１に記載したように、上下横枠材と両側縦枠材とによって形成された矩形状枠に遮音板を張設してなる遮音パネルにおいて、上記上下横枠材と両側縦枠材は、遮音板に向かって突設している前後突条枠部とこれらの前後突条枠部の前後対向面間で形成された遮音板の端部差込溝とを備えていると共に、少なくとも上記上側横枠材に設けている遮音板の端部差込溝の奥側にこの差込溝から後方に屈折した係合溝部を設けてあり、さらに、四方の端部を上記上下横枠材と両側縦枠材との差込溝に挿入している遮音板の上端部に上記係合溝部に係止する係止端部を屈折形成してなる構造を有している。
【０００８】
このように構成した遮音パネルにおいて、請求項２に係る発明は、上記上下横枠材においては上記前後突条枠部を上枠板部の下面と下枠板部の上面とに形成している一方、両側縦枠材においては主枠材部の内面に前後突条枠部をネジ止めによって固着し、これらの前後突条枠部の対向面間で遮音板の端部差込溝を形成していることを特徴とする。
【０００９】
さらに、請求項３に係る発明においては、上側横枠材の前側突条枠部は、該上側横枠材における上枠板部の前端部下面に下方に向かって突設している一方、後側突条枠部は、上枠板部の下面中央部から下方に突設している突出板片部の下端から上記前側突条枠部の後面上端部に向かって直角に屈折形成している水平支持板部と、この水平支持板部の前端から上記前側突条枠部の後面に平行に下方に向かって屈折形成している垂直板部とからなり、上記水平支持板部と上枠板部の下面間で遮音板の上記上端係止端部の係合溝部を形成していると共に上記垂直板部と前側突条枠部の後面間で遮音板の端部差込溝を形成していることを特徴とするものである。
【００１０】
また、請求項４に係る発明においては、上記上側横枠材における上枠板部の下面中央部に突設している突出板片部の下端と上枠板部の後面下端間を下面水平板部により一体に連設している一方、後側突条枠部を形成している水平支持板部と垂直板部とを上側横枠材と別体に形成して水平支持板部の後端に後方に向かって水平取付板部を延設し、この水平取付板部を上記下面水平板部にネジ止めすることにより、水平支持板部と上面枠材部の下面間で遮音板の上端係止端部の係合溝部を形成していると共に上記垂直板部と前側突条枠部の後面間で遮音板の端部差込溝を形成していること特徴とする。
【００１１】
【作用】
遮音パネルを組立てる時には、遮音板の上端部とこの上端部の上端から後方に向かって屈折形成している係止端部とを上側横枠材に形成している差込溝とこの差込溝の外端（上端）から後方に屈折している係合溝部とに上側横枠材の長さ方向の一側端面側から挿入し、遮音板の係止端部を上側横枠材の係合溝部に全長に亘って係止させた状態にする。さらに、遮音板の下端部を下側横枠材の差込溝に挿入すると共に遮音板の両側端部を両側の縦枠材の差込溝に挿入した状態にしてこれらの上下横枠材と両側縦枠材との対向端部同士を接合、一体化することより、遮音板の四方端部に矩形状枠を額縁状に装着してなる遮音パネルを構成する。
【００１２】
このように、遮音板の上端部をボルト・ナットによって上側横枠材に固定するのではなく、遮音板の上端部とこの上端部の上端から後方に向かって屈折形成している係止端部を上側横枠材に形成している差込溝とこの差込溝の外端（上端）から後方に屈折している係合溝部とに挿入することにより固定していると共に、遮音板の下端部と両側端部とを下側横枠材と両側縦枠材とに設けている差込溝に挿入することによって遮音パネルを形成しているので、何等の熟練を要することなく遮音パネルを簡単且つ確実に組立てることができ、組立作業の簡素化を図ることができる。その上、遮音板の上端部や上側横枠材にボルト挿入孔やボルト取付孔を設けておく必要がないので、遮音板や枠材の加工が容易となり、コストの低減を図ることができると共に、ボルト頭が外部に露出していない体裁のよい外観を呈する遮音パネルを組み立てることができる。
【００１３】
なお、遮音板の下端部や両側端部を後方に向かって屈折することにより上端部と同じ係止端部を形成しておいてもよく、この場合には、この係止端部を挿入させる係合溝部を上記上側横枠材と同様に下側横枠材や両側縦枠材に形成しておけばよい。
【００１４】
このように構成した遮音パネルを道路の側部に一定間隔毎に立設している支柱間に取付けて遮音壁を構成する。そして、この遮音壁によって走行する自動車の騒音が外部に漏れるのを防止すると共に高速道路においては道路側からの投物が路肩から落下するのを防止する。
【００１５】
また、遮音板に自動車が衝突した場合には、遮音板が屈曲変形するが、遮音板の上端屈折部である係止端部が上側横枠材の係合溝部に係止しているので抜け出ることはなく、その上、衝撃時の応力をこの係合溝部に係止している係止端部に均等に分散させて遮音板の部分的な破損を防止しながら衝撃力を強固に受止することができる。さらに、遮音板における両側端部、又は両側端部と下端部とを屈折させることなく両側縦枠材と下側横枠材とに設けている差込溝に挿入しておくことによって、上記自動車の衝突等による衝撃力を受けた場合には遮音板の両側端部、又は両側端部と下端部を差込溝から抜け出る方向に移動させて衝撃エネルギーを吸収し、衝撃力を弾力的に緩衝することができる。
【００１６】
【発明の実施の形態】
次に本発明の具体的な実施の形態を図面について説明すると、図１において、遮音パネルＡは、上下横枠材１、２と両側縦枠材３、３とを組み合わせることによって形成している矩形状枠に矩形状の遮音板４を張設してなるものであり、上記上下横枠材１、２及び両側縦枠材３、３はアルミニウム、又はアルミ合金製の中空フレーム材からなる一方、遮音板４はポリカーボネートやアクリル樹脂板等の透光性と遮音性を有する合成樹脂板から形成されている。この遮音板４の上下端部は図２に示すように、一定の縦幅だけ後方に向かって直角に屈折させて係止端部４ａ、４ｂに形成している。
【００１７】
上記矩形状枠における上側横枠材１は、前後方向の幅が全長に亘って一定幅に形成されている平面横長長方形状の上枠板部１０と、この上枠板部１０の下面前後部に下方に向かって突設している前後突条枠部１１、１２とを一体に成形してなり、上記上枠板部１０は、上面が後端に向かって斜め上方に傾斜している傾斜上面板部１０ａ  の幅方向の中央部下面に下端が上記前側突条枠部１１の上端と同じ水平面上に達した垂下片部１０ｂ  を突設していると共に、この垂下片部１０ｂ  の下端と前側突条枠部１１の後面側上端間を水平な下面板部１０ｃ  によって接続し、さらに、垂下片部１０ｂ  の下端から下方に向かってその突出長が上記遮音板４の係止端部４ａの厚みよりも長い突出板片部１０ｄ  を突設していると共に、上記傾斜上面板部１０ａ  の後端から下方に向かって下端が上記突出板片部１０ｄ  の下端と同じ水平面上に達する垂直な後面板部１０ｅ  を屈折形成し、これらの突出板片部１０ｄ  と後面板部１０ｅ  との下端間を下面水平板部１０ｆ  によって一体に連設してなる形状を有している。
【００１８】
また、上記前側突条枠部１１は断面中空矩形枠状に形成されている一方、後側突条枠部１２は、上記上枠板部１０における突出板片部１０ｄ  の下端から前側突条枠部１１の後面上端部に向かって上枠板部１０の下面板部１０ｃ  と平行するように直角に屈折形成している水平支持板部１２ａ  と、この水平支持板部１２ａ  の前端から上記前側突条枠部１１の後面に平行するように下方に向かって直角に屈折形成している垂直板部１２ｂ  とからなり、上記水平支持板部１２ａ  と上枠板部１０の下面板部１０ｃ  との間に上記遮音板４の係止端部４ａを挿入、係止させる断面横長長方形状の係合溝部５を形成していると共に上記垂直板部１２ｂ  と前側突条枠部１１の後面間で遮音板４の上端部を挟持し得る横幅を有する下向きに開口した遮音板４の端部差込溝６を形成している。
【００１９】
なお、後側突条枠部１２の垂直板部１２ｂ  をその下端が前側突条枠部１１の下端と同一水平面上に達する長さに形成していると共に、上枠板部１０の後面板部１０ｅ  の下端を下方に延長して下端が同じく上記垂直板部１２ｂ  の下端と同一水平面上に達する長さの後面下端板部１２ｃ  が設けられてあり、この後面下端板部１２ｃ  の下端と上記垂直板部１２ｂ  の下端とを連接下面板１２ｄ  によって一体に連設している。
【００２０】
一方、下側横枠材２は、上側横枠材１の略同一幅で同一長さの平面横長長方形状の下枠板部２０と、この下枠板部２０の上面前後部に上方に向かって突設している前後突条枠部２１、２２とを一体に成形してなり、上記下枠板部２０は、下面が後端に向かって上記上側横枠材１の上枠板部１０の傾斜上面板部１０ａ  と同一傾斜角度でもって斜め上方に傾斜している傾斜下面板部２０ａ  の幅方向の中央部上面から前方に向かって前端が上記前側突条枠部２１の下端部に連続した水平上面板部２０ｃ  を設けていると共に、この水平上面板部２０ｃ  の後端から垂直上方に向かってその突出長が上記遮音板４の係止端部４ｂの厚みよりも長い突出板片部２０ｄ  を突設してあり、さらに、上記傾斜下面板部２０ａ  の後端から上方に向かって上端が上記突出板片部２０ｄ  の上端と同じ水平面上に達する垂直な後面板部２０ｅ  を屈折形成し、これらの突出板片部２０ｄ  と後面板部２０ｅ  との上端間を上面水平板部２０ｆ  によって一体に連設してなる形状を有している。
【００２１】
また、上記前側突条枠部２１は、一定の前後幅を有する断面中空枠状に形成されている一方、後側突条枠部２２は、上記下枠板部２０における突出板片部２０ｄ  の上端から前側突条枠部２１の後面側に向かって下枠板部２０の上面板部２０ｃ  と平行するように直角に屈折形成している水平支持板部２２ａ  と、この水平支持板部２２ａ  の前端から上記前側突条枠部２１の後面に平行するように上方に向かって直角に屈折形成している垂直板部２２ｂ  とからなり、上記水平支持板部２２ａ  と下枠板部２０の上面板部２０ｃ  との間に上記遮音板４の係止端部４ｂを挿入、係止させる断面横長長方形状の係合溝部５Ａを形成していると共に上記垂直板部２２ｂ  と前側突条枠部２１の後面間で遮音板４の下端部を挟持し得る横幅を有する上向きに開口した遮音板４の端部差込溝６Ａを形成している。
【００２２】
なお、後側突条枠部２２の垂直板部２２ｂ  をその上端が前側突条枠部２１の上端と同一水平面上に達する長さに形成していると共に、下枠板部２０の後面板部２０ｅ  の上端を上方に延長して上端が同じく上記垂直板部２２ｂ  の上端と同一水平面上に達する長さの後面上端板部２２ｃ  が設けられてあり、この後面上端板部２２ｃ  の上端と上記垂直板部１２ｂ  の上端とを連接上面板２２ｄ  によって一体に連設している。また、上記下枠板部２０の後面板部２０ｅ  の下端から下方に向かって係止突片７を突設してあり、遮音パネルＡを上下に重ねて遮音壁を構成する際に、下側の遮音パネルＡの上側横枠材１における後面板部１０ｅ  の後面に該係止突片７を重ね合わせるように係止させて遮音パネルＡの積み重ねが正確に能率良く行えるように構成している。
【００２３】
上記のように形成している上下横枠材１、２と共に矩形状枠を形成する両側縦枠材３、３は、図３に示すように互いに同一構造に形成されてあり、上下横枠材１、２と前後幅が同一で長さが遮音板４の両側端部を被覆することができる長さの横断面長方形状の中空縦枠材部３ａと、この縦枠材部３ａの内側面の前後部にネジ８によって全長に亘って互いに平行に固着されている矩形状の前後突条枠部３ｂ、３ｃとからなり、これらの前後突条枠部３ｂ、３ｃの前後対向面間で上記上下横枠材１、２に設けている差込溝６、６Ａと同一溝幅で且つこれらの差込溝６、６Ａと同一垂直面上で連通した遮音板４の側端部差込溝６Ｂ、６Ｂを形成している。
【００２４】
以上のように構成した上下横枠材１、２と両側縦枠材３、３とを矩形状の遮音板４の四方端部に額縁状に取付けて遮音パネルＡを組み立てるには、遮音板４の上下端部とこれらの上下端から後方に向かって直角に屈折している係止端部４ａ、４ｂを上下横枠材１、２の垂直な差込溝６、６Ａと該差込溝６、６Ａの奥側から後方に向かって直角に屈折している係合溝部５、５Ａにこれらの上下横枠材１、２の一側端面側から挿入して遮音板４の上下端部に上下横枠材１、２を取り付ける。この際、上下横枠材１、２の係合溝部５、５Ａに全長に亘って係止させている遮音板４の上下係止端部４ａ、４ｂと上下後側突条枠部１２、２２の水平支持板部１２ａ  、２２ａ  間に帯板形状のパッキン９、９をそれぞれ介在させておき、これらのパッキン９、９によって上下後側突条枠部１２、２２の水平支持板部１２ａ  、２２ａ  上に遮音板４の上下係止端部４ａ、４ｂをガタツキが生じることなく緩衝的に係止させている。
【００２５】
このように遮音板４の上下端部に上下横枠材１、２を取り付けたのち、遮音板４の両側端部に両側縦枠材３、３を対向させ、これらの縦枠材３の差込溝６Ｂに遮音板４の両側端部を挿入すると共に両側縦枠材３、３の上下端部の対向内側面を上下横枠材１、２の両側端面に接合させてネジ等により一体に固着することにより、遮音板４の四方端部に上下横枠材１、２と両側縦枠材３、３とからなる矩形状枠を額縁状に装着した遮音パネルＡを構成する。この際、遮音板４の両側端部における上下端部に、直角に屈折してなる上記係止端部４ａ、４ｂが存在していると、両側縦枠材３、３の差込溝６Ｂに対する側端部の挿入ができないので、上記係止端部４ａ、４ｂの両側端部を、差込溝６Ｂに対する挿入幅に相当する幅だけ切除した形状としている。
【００２６】
なお、遮音板４の両側端部に両側縦枠材３、３を取り付ける場合には、例えば、前側の突条枠部３ｂを取り外した状態にして後側突条枠部３ｃの前面に遮音板４の側端部を載置し、しかるのち、この側端部上に前側の突条枠部３ｂを重ね合わせて該前側突条枠部３ｂをネジ８により縦枠材３の内側面に固着してもよい。また、両側縦枠材３、３は、中空縦枠材部３ａと前後突条枠部３ｂ、３ｃとよりなっているが、これらを一体化した両側縦枠材３、３としてもよく、この場合は、上下横枠材１、２に装着された遮音板４の両側端部に、両側縦枠材３、３を挿入することで遮音パネルＡを構成する。
【００２７】
このように構成した遮音パネルＡは、遮音板４の四方端部を上下横枠材１、２の前後水平突条枠部１１、１２、２１、２２の対向面間で形成されている端部差込溝６、６Ａと両側縦枠材３、３の前後垂直突条枠部３ｂ、３ｃの対向面間で形成されている端部差込溝６Ｂ、６Ｂに挟持状態で挿入、支持させていると共に、遮音板４の上下端部の上下端から後方に向かって直角に屈折してなる係止端部４ａ、４ｂを上下横枠材１、２の上記差込溝６、６Ａの奥側から後方に向かって直角に屈折している係合溝部５、５Ａにパッキン９、９を介して係止状態で支持されている。
【００２８】
この遮音パネルＡを高速道路端等に沿って一定間隔毎に立設している支柱Ｂ、Ｂ・・・における隣接する支柱Ｂ、Ｂ間に施工する手順を説明する。支柱Ｂは図３に示すように、一定幅を有するウエブＢ１の前後両端にフランジＢ２、Ｂ２を一体に設けてなるＨ形鋼からなり、ウエブＢ１と、該ウエブＢ１の前後両端から同一方向に突出したフランジＢ２、Ｂ２によって形成された溝Ｃ内に遮音パネルＡの縦枠材３を挿入可能に形成している。
【００２９】
この支柱Ｂ、Ｂを遮音パネルＡの横幅に相当する間隔毎に立設したのち、隣接する支柱Ｂ、Ｂの対向する溝Ｃ、Ｃに遮音パネルＡの両側縦枠材３、３を上方から順次、嵌め込むことによって複数枚の遮音パネルＡを積み重ねた遮音壁を構築するものである。なお、支柱Ｂに対する遮音パネルＡの取り付けは、隣接する支柱Ｂ、Ｂの道路側に面したフランジＢ２、Ｂ２に遮音パネルＡの両側縦枠材３、３を当てがってボルトにより固着してもよい。
【００３０】
このように構成した遮音壁における遮音パネルＡの遮音板４に自動車が衝突した場合、遮音板４の両側端部は両側縦枠材３、３に設けている差込溝６Ｂ、６Ｂにボルトにより固着されることなく単に挟持された状態で挿入しているにすぎないため、自動車の衝突による衝撃力によって遮音板４の両側端部が差込溝６Ｂ、６Ｂから抜け出る方向に移動しながら遮音板４が膨出、変形し、衝撃力を弾性的に緩衝することができると共に、遮音板４の上下端部に屈折形成している係止端部４ａ、４ｂは、上下横枠材１、２の端部差込溝６、６Ａの奥底から後方に向かって直角に屈折している係合溝部５、５Ａに係止しているので、遮音板４が上下横枠材１、２から抜け出るのを確実に防止することができると共に、衝撃による引張応力を係止端部の全長に亘って均等に受止させて遮音板４の部分的な破損をなくすることができる。
【００３１】
図４は本発明の遮音パネルの別な実施の形態を示すもので、この遮音パネルＡ’においては、その上下横枠材１Ａ、２Ａにおける後側突条枠部１２’  、２２’  を上下枠板部１０’  、２０’  とは別体に形成している。即ち、上側横枠材１Ａにおいては、後側突条枠部１２’  を、その互いに直角に連設してなる水平支持板部１２ａ’と垂直板部１２ｂ’とを上記実施の形態における後面下端板部１２ｃ  と連接下面板１２ｄ  及び上枠板部１０の下面水平板部１０ｆ  とにそれぞれ相当する板部１２ｃ’、１２ｄ’、１２ｆ’に一体に設けた横長矩形状枠に形成し、この横長矩形状枠の後側突条枠部１２’  における水平支持板部１２ａ’の後端に連続している水平取付板部１２ｆ’を上枠板部１０’  の下面水平板部１０ｆ  の下面に当てがってボルト３０により固着することにより、上枠板部１０’  の下面板部１０ｃ  と該後側突条枠部１２’  の水平支持板部１２ａ’間で遮音板４の係止端部４ａの係合溝部５を形成すると共に、後側突条枠部１２’  の垂直板部１２ｂ’と前側突条枠部１１の後面間で遮音板４の上端部を挟持する端部差込溝６を形成している。
【００３２】
同様に、下側横枠材２Ａにおいては、後側突条枠部２２’  を、その互いに直角に連設してなる水平支持板部２２ａ’と垂直板部２２ｂ’とを上記図３で示した実施の形態における後面上端板部２２ｃ  と連接上面板２２ｄ  及び下枠板部２０の上面水平板部２０ｆ  とにそれぞれ相当する板部２２ｃ’、２２ｄ’、２２ｆ’に一体に設けた横長矩形状枠に形成し、この横長矩形状枠の後側突条枠部２２’  における水平支持板部２２ａ’の後端に連続している水平取付板部２２ｆ’を下枠板部２０’  の上面水平板部２０ｆ  の上面に当てがってボルト３０により固着することにより、下枠板部２０’  の上面板部２０ｃ  と該後側突条枠部２２’  の水平支持板部２２ａ’間で遮音板４の係止端部４ｂの係合溝部５Ａを形成すると共に、後側突条枠部２２’  の垂直板部２２ｂ’と前側突条枠部２１の後面間で遮音板４の下端部を挟持する端部差込溝６Ａを形成している。
【００３３】
その他の構成については上記図２、図３で示した実施の形態と同じであるので、同一部分には同一符号を付して詳細な説明を省略する。
【００３４】
図５は、本発明のさらに別な実施の形態を示すもので、遮音板４はその上端部のみに、後方に向かって直角に屈折してなる係止端部４ａを設け、下端部には係止端部が形成されていない形状を有し、この遮音板４の上下端部を上下横枠材１、２Ｃに取付けてなる構造を示す。
【００３５】
この構造において、上端係止端部４ａを取付けている上側横枠材１の構造については上記図２で示した実施の形態と同様であるので、同一部分には同一符号を付してその詳細な説明を省略するが、下側横枠材２Ｃの構造は、下枠板部２０’’の上面に前後に遮音板４の下端部を挟持し得る間隔を存して断面矩形枠状の前後突条枠部２１’’、２２’’を一体に上方に向かって突設してなる形状を有している。なお、上側横枠材１は上記図４で示したように、その後側突条枠部を上枠板部１０に対して別体に形成しておいてもよく、同様に、下側横枠材２Ｃにおいては、その後側突条枠部を下枠板部２０’’に対して別体に形成しておき、ネジによって固定するように構成しておいてもよい。
【００３６】
また、遮音板の四方端部全周に後方に向かって直角に屈折した係止端部を形成しておく一方、上下横枠材と両側縦枠材とにこの係止端部を係止状態で支持する係合溝部を形成しておいてもよい。なお、横幅の大きな遮音パネルＡ’’  を形成する場合には、図６に示すように、両側縦枠材３、３間に中間縦枠材３’を配設して、この中間縦枠材３’の両側に遮音板４’、４’を張設すればよい。この場合、上下横枠材１’、２’はその長さが上記実施の形態のおける上下横枠材１、２よりも長さが長い以外は同じ構造であり、中間縦枠材３’はその両側面に遮音板４’の端部差込溝を形成した構造としている。
【００３７】
【発明の効果】
以上のように本発明の遮音パネルによれば、請求項１に記載したように、上下横枠材と両側縦枠材とによって形成された矩形状枠に遮音板を張設してなる遮音パネルにおいて、上記上下横枠材と両側縦枠材は、遮音板に向かって突設している前後突条枠部とこれらの前後突条枠部の前後対向面間で形成された遮音板の端部差込溝とを備えていると共に、少なくとも上記上側横枠材に設けている遮音板の端部差込溝の奥側にこの差込溝から後方に屈折した係合溝部を設けてあり、さらに、四方の端部を上記上下横枠材と両側縦枠材との差込溝に挿入している遮音板の上端部に上記係合溝部に係止した係止端部を屈折形成しているので、上下横枠材と両側縦枠材とに遮音板の端部をボルト・ナットによって固定するのではなく、その端部を上下横枠材と両側縦枠材とに設けている差込溝に挿入、挟持させると共に、後方に屈折している遮音板の上端係止端部を上側横枠材の差込溝の奥側から後方に屈折している係合溝部に係止させることにより固定しているので、何等の熟練を要することなく遮音パネルを能率よく且つ確実に組み立てることができ、組立作業の簡素化を図ることができて多量生産に適する。
【００３８】
その上、遮音板の上端部や上側横枠材等にボルト挿入孔やボルト取付孔を設けておく必要はないので、遮音板や枠材の加工が容易となり、コストの低減を図ることができると共にボルト頭が外部に露出していない体裁のよい外観を呈する遮音パネルを組み立てることができる。
【００３９】
請求項２に係る発明によれば、上下横枠材の前後突条枠部は、上側横枠材の上枠板部の下面前後部と下側横枠材の下枠板部の上面前後部とにそれぞれ形成されている一方、両側縦枠材は、縦枠材部の内側面に前後突条枠部をネジ止めによって固着し、これらの前後突条枠部の前後対向面間で遮音板の端部差込溝を形成しているので、上下横枠材に対しては前後突条枠部間に遮音板の上下端部を挿入するだけで遮音板の上下端部に上下横枠材を取付けることができ、両側縦枠材に対しては前側突条枠部を取り外した状態で後側突条枠部上に遮音板の両側端部を載置し、しかるのち、前側突条枠部をその側端部上に重ね合わせてネジ止めすることにより、遮音板の両側端部を両側縦枠材に簡単且つ強固に挟着、固定することができる。
【００４０】
また、請求項３に係る発明によれば、上記上側横枠材の前側突条枠部を、該上側横枠材における上枠板部の前端部下面に下方に向かって突設している一方、後側突条枠部は、上枠板部の下面中央部から下方に突設している突出板片部の下端から上記前側突条枠部の後面上端部に向かって直角に屈折形成している水平支持板部と、この水平支持板部の前端から上記前側突条枠部の後面に平行に下方に向かって屈折形成している垂直板部とからなり、上記水平支持板部と上枠板部の下面間で遮音板の上記上端係止端部の係合溝部を形成していると共に上記垂直板部と前側突条枠部の後面間で遮音板の端部差込溝を形成していることを特徴とするものであるから、係合溝部や差込溝を形成している構造が極めて簡単であり、成形が容易に且つ精度よく行うことができて多量生産に適するものである。
【００４１】
さらに、請求項４に係る発明によれば、上側横枠材における上枠板部の下面中央部に突設している突出板片部の下端と上枠板部の後面下端間を下面水平板部により一体に連設している一方、後側突条枠部を形成している水平支持板部と垂直板部とを上側横枠材と別体に形成して水平支持板部の後端に後方に向かって水平取付板部を延設し、この水平取付板部を上記下面水平板部にネジ止めすることにより、水平支持板部と上面枠材部の下面間で遮音板の上端係止端部の係合溝部を形成していると共に上記垂直板部と前側突条枠部の後面間で遮音板の端部差込溝を形成しているので、遮音板の上端部とその上端から後方に屈折している係止端部とを上側横枠材に取付ける際に、遮音板の上端部前面を前側突条枠部の後面に当接させ且つ係止端部の上面を上枠板部の下面板部に当接させた状態にした後、後側突条枠部の水平取付板部を上記下面水平板部にネジ止めすることにより、遮音板の上端部を簡単且つ強固に抜け止め状態で挟着、固定することができる。
【図面の簡単な説明】
【図１】遮音パネルの簡略正面図、
【図２】遮音パネルの縦方向の中間部を省略した状態の縦断側面図、
【図３】遮音パネルの幅方向の一部を省略した状態の横断面図、
【図４】本発明の遮音パネルの別な実施の形態を示す一部省略縦断側面図、
【図５】遮音パネルのさらに別な実施の形態を示す一部を省略した縦断側面図、
【図６】横幅の大なる遮音板の一部を省略した横断面図。
【符号の説明】
Ａ  遮音パネル
１、２  上下横枠材
３、３  両側縦枠材
３ｂ、３ｃ  前後突条枠部
４  遮音板
４ａ、４ｂ  係止端部
５  係合溝部
６  端部差込溝
１１、１２  前後突条枠部
【図１】
2005023695.tif 000003
【図２】
2005023695.tif 000004
【図３】
2005023695.tif 000005
【図４】
2005023695.tif 000006
【図５】
2005023695.tif 000007
【図６】
2005023695.tif 000008